(57)【要約】【課題】  煩雑な操作を必要とすることなく、不用意な巻き取りが行われることを防止することを目的とする。【解決手段】  電気−音響変換素子３を内蔵したハウジング１，２と、一端がこの電気−音響変換素子３に接続された入力コード９と、このハウジング１，２に内蔵されこの入力コード９をこのハウジング１，２内部に巻き取るように付勢した巻き取り手段１４，１５と、この巻き取り手段１４，１５と連動しこの巻き取り手段１４，１５のこの入力コード９の巻き取りを阻止すると共にこの入力コード９のこのハウジング１，２からの引き出しを許容するラチェット手段２０，２０ａ，２２，２２ａと、このラチェット手段２０，２０ａ，２２，２２ａの入力コード９の巻き取り阻止を解除する解除手段２２ｂ，２５と、このハウジング１，２を耳掛けする耳掛アーム７がこのハウジング１，２側に付勢された耳掛け手段とを有し、この耳掛アーム７がこのハウジング１，２から離れたときに、このラチェット手段２０，２０ａ，２２，２２ａのこの入力コード９の巻き取り阻止を解除しないようにしたものである。【選択図】        図１
2005318112.tif 000002
【特許請求の範囲】
【請求項１】
電気−音響変換素子を内蔵したハウジングと、
一端が前記電気−音響変換素子に接続された入力コードと、
前記ハウジングに内蔵され前記入力コードを前記ハウジング内部に巻き取るように付勢した巻き取り手段と、
前記巻き取り手段と連動し前記巻き取り手段の前記入力コードの巻き取りを阻止すると共に前記入力コードの前記ハウジングからの引き出しを許容するラチェット手段と、
前記ラチェット手段の入力コードの巻き取り阻止を解除する解除手段と、
前記ハウジングを耳掛けする耳掛アームが前記ハウジング側に付勢された耳掛け手段とを有し、
前記耳掛アームが前記ハウジングから離れたときに、前記ラチェット手段の前記入力コードの巻き取り阻止を解除しないようにしたことを特徴とするコード巻き取り装置付きヘッドホン。
【発明の詳細な説明】
【技術分野】
【０００１】
本発明は、例えば携帯用音響機器に使用する耳掛けタイプのヘッドホン、このヘッドホンにマイクロホンを設けた所謂ヘッドセットに適用して好適なコード巻き取り装置付きヘッドホンに関する。
【背景技術】
【０００２】
近年、携帯用音響機器等の発達に伴いヘッドホンが屋外でも多く用いられるようになった。このヘッドホンを携帯する場合、入力コードの絡み等が問題となる。
【０００３】
そこで、従来このヘッドホンの入力コードをヘッドホンのハウジング内に巻き取る機構を設けたコード巻き取り装置付きヘッドホンが提案されている。このコード巻き取り装置付きヘッドホンの入力コードの巻き取り機構は、ヘッドホンハウジング内に設け、入力コードをこのハウジング内に巻き取るようにぜんまいばねにより付勢した巻き取り手段と、この巻き取り手段と連動し、この巻き取り手段のこの入力コードの巻き取りを阻止すると共にこの入力コードのこのハウジングからの引き出しを許容するラチェット手段と、このラチェット手段の入力コードの巻き取り阻止を解除する解除手段とより構成され、このラチェット手段により、この入力コードを引き出した際にこの入力コードを引き出した所までの所望位置で止められると共に、解除手段を操作してこのラチェット手段の入力コードの巻き取り阻止を解除したときは操作終了又は入力コードの最後まで巻き取ることができるようになされていた。
【０００４】
ところで、このコード巻き取り装置付きヘッドホンを耳に装着したまま、ハウジング内に巻き取ろうとして、この解除手段を操作して巻き取り阻止を解除したときに、巻き取り手段の巻取りの勢いが強いと、コードが鞭のように頬を叩いたり、末端の入力プラグが引き込まれるときに勢い余って入力プラグが顔や目に当たり傷をするおそれがあった。
【０００５】
そこで、従来特許文献１に記載の如き、入力コードの入力プラグをハウジング内の巻き取り手段に関連して設けた挿入口に挿入したときに、巻き取り阻止を解除するようにし、不用意には巻き取り阻止が解除されないものが提案されている。
【特許文献１】特開２００２−１０３８５号公報
【発明の開示】
【発明が解決しようとする課題】
【０００６】
然しながら、この特許文献１のものでは、入力コードを巻き取るごとにわざわざ音響機器等より入力プラグを抜き取り、これをヘッドホンハウジングの挿入口に挿入する必要があり、実使用上、この入力コードの巻き取りは使用後に行うだけではなく、引き出し過ぎたときや、通勤、通学時の電車等の乗り降り時にわずかに触れただけで引き出されてしまうため、その度にこの入力プラグを音響機器等より引き抜き、このハウジングの挿入口に挿入するのは操作が煩雑である不都合があった。
【０００７】
また従来は一方の手でヘッドホンを、他方の手もヘッドホンすぐ横でプラグを持っていることを強要されるため、手が塞がることになり、Ｕ字を描いて勢いよく巻き取られるコードに対し抑える術が無く、使用者に不安感を与えるものであった。
【０００８】
本発明は斯る点に鑑み、煩雑な操作を必要とすることなく不用意な巻き取りが行われることを防止することを目的とする。
【課題を解決するための手段】
【０００９】
本発明コード巻き取り装置付きヘッドホンは、電気−音響変換素子を内蔵したハウジングと、一端がこの電気−音響変換素子に接続された入力コードと、このハウジングに内蔵されこの入力コードをこのハウジング内部に巻き取るように付勢した巻き取り手段と、この巻き取り手段と連動しこの巻き取り手段のこの入力コードの巻き取りを阻止すると共にこの入力コードのこのハウジングからの引き出しを許容するラチェット手段と、このラチェット手段の入力コードの巻き取り阻止を解除する解除手段と、このハウジングを耳掛けする耳掛アームがこのハウジング側に付勢された耳掛け手段とを有し、この耳掛アームがこのハウジングから離れたときに、このラチェット手段のこの入力コードの巻き取り阻止を解除しないようにしたものである。
【発明の効果】
【００１０】
本発明によれば、耳掛アームがハウジングから離れたときにラチェット手段の入力コードの巻き取り阻止を解除しないようにしたので、例えばこのイヤホンを耳に掛けているときには不用意な巻き取りが行われず顔や目に傷をつけることはない。
【００１１】
この巻き取り阻止を解除しないようにするのにこのイヤホンを耳に掛けるだけで良く、また巻き取り阻止を解除できるようにするのに耳からはずすだけで良く使い勝手が良い。また巻き取る際に、長く引き出されたプラグやコードに手を添えながら巻き取ることができるため、巻き取りの速度を利用者が好みに調整して、安心感のある巻き取りができる。
【発明を実施するための最良の形態】
【００１２】
以下図面を参照して、本発明コード巻き取り装置付きヘッドホンを実施するための最良の形態の例につき説明する。
【００１３】
まず、図４および図５を参照して耳掛けタイプのコード巻き取り装置付きヘッドホンの概要につき説明する。
【００１４】
図４は、この耳掛けタイプのコード巻き取り装置付きヘッドホンの後部ハウジング２側より見た外観図で、７は軸支された回動円盤５に一端が固定された耳掛アームを示し、耳掛アーム７は前部ハウジング１側に付勢ばねにより付勢されており、耳に掛けない非使用時はこの前部ハウジング１と耳掛アーム７との開きの角度が最小の状態にある。
【００１５】
この耳掛アーム７を耳に掛けたときは回動円盤５の回動により耳掛アーム７を前部ハウジング１に対して耳の厚さだけ開いて固定される如くなされている。
【００１６】
この耳掛けタイプのコード巻き取り装置付きヘッドホンは図５に示す如く、前部ハウジング１と後部ハウジング２とでハウジングを構成し、前部ハウジング１には電気−音響変換素子であるスピーカユニット３が取り付けられ前部ハウジング１のスピーカユニット３の前面にはスピーカユニット３から発生する音圧を放射する音孔１ａが設けられている。前部ハウジング１の前面は耳に当接するので、例えば気泡が連続するように形成した発泡ポリウレタンや布等の音を透過させながら肌に優しい材料でできたイヤーパッド４を設けている。
【００１７】
図５において、９は一端に音響機器に接続される入力プラグ９ａが接続された入力コードを示し、この入力コード９の他端をスピーカユニット３に電気的に接続する。
【００１８】
また前部ハウジング１に基板１２が固定され、この基板１２の中心に回転軸１３の一端がかしめられて固定され、この回転軸１３にはリール１４が回転自在に装着され、リール１４及び回転軸１３に一端及び他端が固定されたぜんまいばね１５がリール１４の凹部１４ａに納められる。
【００１９】
このぜんまいばね１５は押え板１６によって飛び出さないように押えられ、回転軸１２の他端で押え板１６の上からＥリング１３ａで抜け止めがなされている。上述により入力コード９の巻き取り手段が構成され、入力コード９をぜんまいばね１５の付勢によりリール１４に巻き取る如くなされている。
【００２０】
またリール１４の両側のフランジの一方を薄い金属板より成る爪車２０とし（図１参照）、この爪車２０に図１に示す如く、この爪車２０の全周を整数等分例えば４等分して例えば４個の切り込みより成るロック用爪部２０ａを設ける。
【００２１】
また図１、図２、図３に示す如く、軸２１に回動自在に軸支された薄い金属板より成る回動アーム２２の一端に爪車２０のロック用爪部２０ａに係合する係合用爪２２ａを設ける。本例においてはこの係合用爪２２ａは回動アーム２２の一端をＬ字状に曲折して形成する。この場合、図１に示す如くこの爪車２０と回動アーム２２とは前後方向で互いに重なり合う如く配される。
【００２２】
この回動アーム７の一端の係合用爪２２ａは爪車２０のロック用爪部２０ａに押圧係合するように一端をこの回動アーム２２に他端をハウジングにかけた付勢ばね２３で回動アーム２２の一端の係合用爪２２ａが矢印Ｒ２方向即ち爪車２０方向に付勢する。
【００２３】
この爪車２０のロック用爪部２０ａと回動アーム２２の一端の係合用爪２２ａとの関係は入力コード９を引き出す方向即ち爪車２０が矢印Ｒ３方向に回転したときにおいては、係合用爪２２ａはロック用爪部２０ａとは係合しない緩斜面側を進行する如くし、このロック用爪部２０ａとは係合することなく、この入力コード９をぜんまいばね１５の付勢力より大きな力を掛けることによりハウジング１，２より引き出すことができる（引き出しを許容する）。
【００２４】
また、入力コード９を巻き取る方向即ち爪車２０が矢印Ｒ１方向に回転したときには係合用爪２２ａは爪車２０のロック用爪部２０ａと係合してロックされ、この入力コード９の巻き取りを阻止する。
【００２５】
この爪車２０のロック用爪部２０ａと回動アーム２２の一端の係合用爪２２ａとで所謂ラチェット手段（機構）を構成する。
【００２６】
本例においては、この回動アーム２２の他端にこのラチェット手段の入力コード９の巻き取り阻止を解除する解除片２２ｂを設け、この解除片２２ｂが付勢ばね２３の付勢力に抗して押されたときには、爪車２０のロック用爪部２０ａと回動アーム２２の一端の係合用爪２２ａとの係合が解除され、ぜんまいばね１５の付勢力により、この入力コード９がヘッドホンのハウジング１，２内に巻き取られる。
【００２７】
本例においては、この解除片２２ｂ上に解除規制発条板２４を設ける。この解除規制発条板２４は、耳掛レバー７の開きに応じて回動する回動円盤５とこの解除片２２ｂを挟んだ反対側を固定し、この回動円盤５側を遊端とし、この回動円盤５と当接する如くする。
【００２８】
また本例においては、この耳掛レバー７の開きの角度が最小の位置のこの解除規制発条板２４の遊端と回動円盤５とが当接する、この回動円盤５の位置にこの解除規制発条板２４が挿入できる大きさの所定長さの溝５ａを形成する。
【００２９】
また本例においては、この解除規制発条板２４上にこの解除規制発条板２４と関連して押圧可動できる如く解除ボタン２５を設ける。
【００３０】
この場合、耳掛レバー７の開きの角度が最小即ち非使用時に解除ボタン２５を押したときは図２に示す如く解除規制発条板２４の遊端が回動円盤５の溝５ａに係合して挿入され、この解除ボタン２５を挿すことができ、この解除ボタン２５を押すことができたときは、解除片２２ｂも押され、ラチェット手段の入力コード９の巻き取り阻止を解除することができる。
【００３１】
また、この耳掛レバー７の開きの角度を最小より大として耳に掛けて使用したときに解除ボタン２５を押したときは、図３に示す如く解除規制発条板２４の遊端が回動円盤５の外周に当接し、この解除規制発条板２４により解除ボタン２５を押すことができず、ラチェット手段の入力コード９の巻き取り阻止を解除することはできない。
【００３２】
本例によるコード巻き取り装置付きヘッドホンは上述の如く構成されているので、ヘッドホンの非使用時で耳掛レバー７の開きの角度が最小のときに解除ボタン２５を押したときは解除片２２ｂが押され、爪車２０のロック用爪部２０ａと回動アーム２２の一端の係合用爪２２ａとの係合が解除され、ぜんまいばね１５の付勢力によりこの入力コード９をヘッドホンのハウジング１，２内に巻き取ることができる。
【００３３】
また、入力コード９をヘッドホンのハウジング１，２より引き出すときには、この入力コード９をぜんまいばね１５の付勢力より大きな力を掛けて引き出す。このときは爪車２０が矢印Ｒ３方向に回転し、ロック用爪部２０ａは係合用爪２２ａとは係合しない緩斜面側が当接することとなり、ロック用爪部２０ａは係合用爪２２ａとは係合せず、この入力コード９を引き出すことができる。
【００３４】
この入力コード９を引き出す力を所望位置でかけなくしたときには、この爪車２０は、ぜんまいばね１５の付勢力により矢印Ｒ１方向に回転し、係合用爪２２ａは爪車２０のロック用爪部２０ａと係合してロックされ、入力コード９の長さを所望長さでロックすることができる。
【００３５】
また本例によれば、耳掛アーム７がハウジングから離れたときにラチェット手段の入力コード９の巻き取り阻止を解除しないようにしたので、例えばこのイヤホンを耳に掛けているときには不用意な巻き取りが行われず顔や目に傷をつけることはない。
【００３６】
また本例によれば、この巻き取り阻止を解除しないようにするのにこのイヤホンを耳に掛けるだけで良く、また巻き取り阻止を解除できるようにするのに耳からはずすだけで良く使い勝手が良い。
【００３７】
図７及び図８は図６に示す如き耳掛けタイプのヘッドホンに本発明を適用した例を示す。この図６、図７及び図８につき説明するに図１〜図５に対応する部分には同一符号を付し、その詳細な説明は省略する。
【００３８】
図６例のヘッドホンは後部ハウジング２の上側に軸受部３０を設け、この軸受部３０に耳掛アーム７の一端に設けた回動軸３１を貫通する如く装着する。
【００３９】
この耳掛アーム７は前部ハウジング側即ちイヤーパッド４側に付勢ばねにより付勢されており、耳に掛けない非使用時は、図６Ａに示す如くこのイヤホンのイヤーパッド４と耳掛アーム７との開きの角度が最小の状態となる。
【００４０】
この耳掛アーム７を耳に掛けたときは、図６Ｂに示す如くこの耳掛けアーム７はこの一端の回動軸３１を軸として回動し、この耳掛アーム７をイヤーパッド４に対して耳の厚さだけ開いて固定される如くなされている。
【００４１】
図７例においては、図１、図２、図３同様に回動アーム２２の他端の解除片２２ｂ上に比較的細長の解除規制発条板２４を設ける。この解除規制発条板２４は、耳掛レバー７の開きに応じて回動する回動軸３１の端面とこの解除片２２ｂを挟んだ反対側を固定し、この回動軸３１の端面側を遊端とする。
【００４２】
本例においては、この回動軸３１の端面に阻止突起３１ａを設け、この耳掛レバー７の開きの角度が最小の位置では、この解除規制発条板２４の遊端がこの阻止突起３１ａに当接しない如くし、この耳掛レバーが回動し、この阻止突起３１ａが回動したときは、この解除規制発条板２４の遊端がこの阻止突起３１ａに当接する如くする。
【００４３】
また本例においては、この解除規制発条板２４上にこの解除規制発条板２４と関連して押圧可動できる如く解除ボタン２５を設ける。
【００４４】
この場合、耳掛レバー７の開きの角度が最小即ち非使用時に解除ボタン２５を押したときは図７Ａに示す如く解除規制発条板２４の遊端が回動軸の端面の阻止突起３１ａに当接しないので、この解除ボタン２５を押すことができ、この解除ボタン２５を押すことができたときは、解除片２２ｂも押され、ラチェット手段の入力コード９の巻き取り阻止を解除することができる。
【００４５】
また、この耳掛けレバー７の開きの角度を最小より大として耳に掛けて使用したとき回動軸３１が回動して阻止突起３１ａも回動し、解除ボタン２５を押したときは、図７Ｂに示す如く解除規制発条板２４の遊端が回動軸３１の端面の阻止突起３１ａに当接するようになり、この解除規制発条板２４により解除ボタン２５を押すことができず、ラチェット手段の入力コード９の巻き取り阻止を解除することはできない。その他は図１例と同様に構成する。
【００４６】
従って、この図７例においても図１、図２、図３例と同様の作用効果が得られることは容易に理解できよう。
【００４７】
また図８例は図７例の押しボタンより成る解除ボタン２５をスライドボタンにより構成した例を示す。
【００４８】
図８例は図７において、解除規制発条板２４、解除ボタン２５を設けずに、一端にスライドボタン３２を設けた摺動杆３３を設ける。この摺動杆３３は、耳掛レバー７の開きに応じて回動する回動軸３１端面とこの解除片２２ｂを挟んだ反対側にスライドボタン３２を有し、このスライドボタン３２が、この解除片２２ｂに乗り上げたときに解除片２２ｂが押され、ラチェット手段の入力コード９の巻き取り阻止を解除する如くする。
【００４９】
この摺動杆３３は圧縮コイルばね３４により付勢され、この摺動杆３３のスライドボタン３２側とは反対側の先端部３３ａの端面が、回動軸３１の端面よりスライドボタン側に位置する如くする。
【００５０】
また、この摺動杆３３の先端部３３ａの端面を耳掛レバー７の開きの角度が最小のときは、この回動軸３１の端面の阻止突起３１ａに当接しない如くし、この耳掛レバー７の開きが最小より大となったときは、この先端部３３ａの端面が回動軸３１の阻止突起３１ａに当接する如くする。その他は図７例と同様に構成する。
【００５１】
この場合、耳掛レバー７の開きの角度が最小即ち非使用時にスライドボタン３２を矢印ａ方向にスライドしたときには図８Ａに示す如くこの摺動杆３３のスライドボタン３２の反対側の先端部３３ａが回動軸３１の阻止突起３１ａに当接しないので、このスライドボタン３２を所定位置までスライドすることができ、このスライドボタン３２を解除片２２ｂ上に乗り上げることができ、このスライドボタン３２を解除片２２ｂに乗り上げたときは、解除片２２ｂを押したこととなり、ラチェット手段の入力コード９の巻き取り阻止を解除することができる。
【００５２】
また、この耳掛レバー７の開きの角度を最小より大として耳に掛けて使用したとき回動軸３１が回動して阻止突起３１ａも回動し、スライドボタン３２を矢印ａ方向にスライドしようとしたときは、図８Ｂに示す如く摺動杆３３の先端部３３ａの端面は回動軸３１の端面の阻止突起３１ａに当接するようになり、スライドボタン３２により摺動杆３３をスライドすることができず、ラチェット手段の入力コード９の巻き取り阻止を解除することはできない。
【００５３】
従って、この図８例においても、図１、図２、図３例と同様の作用効果が得られることは容易に理解できよう。
【００５４】
尚、上述例では爪車２０のロック用爪部２０ａの数を４個としたが、これはその他の複数個としても良いことは勿論である。
【００５５】
また上述例では、ヘッドホンに本発明を適用した例につき述べたが、ヘッドホンにマイクロホンを設けた所謂ヘッドセットにも本発明を適用できることは勿論である。
【００５６】
また本発明は上述例に限ることなく本発明の要旨を逸脱することなく、その他種々の構成が採り得ることは勿論である。
【図面の簡単な説明】
【００５７】
【図１】本発明コード巻き取り装置付きヘッドホンを実施するための最良の形態の例の要部を示す構成図である。
【図２】図１の説明に供する構成図である。
【図３】図１の説明に供する構成図である。
【図４】ヘッドホンの例を示す外観図である。
【図５】コード巻き取り装置付きヘッドホンの例を示す断面図である。
【図６】ヘッドホンの例を示す上面図である。
【図７】本発明を実施するための最良の形態の他の例を示す構成図である。
【図８】本発明を実施するための最良の形態の他の例を示す構成図である。
【符号の説明】
【００５８】
１‥‥前部ハウジング、２‥‥後部ハウジング、５‥‥回動円盤、５ａ‥‥溝、７‥‥耳掛アーム、９‥‥入力コード、１４‥‥リール、２０‥‥爪車、２０ａ‥‥ロック用爪部、２１‥‥軸、２２‥‥回動アーム、２２ａ‥‥係合用爪、２２ｂ‥‥解除片、２４‥‥解除規制発条板、２５‥‥解除ボタン
【図１】
2005318112.tif 000003
【図２】
2005318112.tif 000004
【図３】
2005318112.tif 000005
【図４】
2005318112.tif 000006
【図５】
2005318112.tif 000007
【図６】
2005318112.tif 000008
【図７】
2005318112.tif 000009
【図８】
2005318112.tif 000010